(57)【要約】【課題】検波部のダイナミックレンジの範囲外の信号の正常な利得制御を行う。【解決手段】この無線装置の送信機は、送信部１と、送信電力増幅部（ＴＸＡＭＰ）１３と、アンテナ（ＡＮＴ）１４とを有して構成され、送信部１は、外部からのベースバンド情報（ＢＢ情報）３を受信してベースバンド信号（ＢＢ信号）４を出力するＢＢ部２と、ＢＢ信号４を予め定められたチャネルのキャリアである周波数に変換した後ＲＦ信号９としてＴＸＡＭＰ１３へ送出するＲＦ部２０と、ＲＦ部２０からのＲＦ信号９を検出してＡ／Ｄ変換したデジタル信号を送出するＡ／Ｄ部１０と、Ａ／Ｄ部１０からのデジタル信号をＤ／Ａ変換してＲＦ部２０内のＢＢ信号の増幅を可変させる信号を送出するＤ／Ａ部１２と、Ａ／Ｄ部１０からのデジタル信号の基にＲＦ部２０及びＴＸＡＭＰ１３を制御する制御部１１とを有している。【選択図】　　　図１
2004032447.tif 000002
【特許請求の範囲】
【請求項１】
基地局無線装置に使用される送信機であって、前記送信機は多重されたベースバンド情報を受信して周波数変調されたＲＦ信号を送出する送信部と、前記送信部に接続され前記ＲＦ信号を電力増幅する送信電力増幅部と、前記送信電力増幅部に接続され前記電力増幅された前記ＲＦ信号を空中に送出するアンテナとを備え、前記送信部は前記ベースバンド情報を受信してベースバンド信号を送出するベースバンド部と、前記ベースバンド信号を周波数変調した後に可変増幅した前記ＲＦ信号を前記送信電力増幅部へ送出するＲＦ部と、前記ＲＦ部から前記ＲＦ信号を検出した検出ＲＦ信号をＡ／Ｄ変換するＡ／Ｄ部と、Ｄ／Ａ変換された信号によって前記ＲＦ部へ前記可変増幅の制御信号を送出するＤ／Ａ部と、初期動作時に前記ベースバンド信号のレベルが予め設定されたコントロールレベル基準値内にあると判定すると、予め設定した下限の減衰度にするべく前記Ｄ／Ａ部を介して前記制御信号を送出した後に予め設定した期間毎に階段的に予め設定した減衰度を下げて予め設定した上限の減衰度にするべく前記Ｄ／Ａ部を介して前記制御信号を前記ＲＦ部へ送出する制御部とを備えることを特徴とする無線装置の送信機。
【請求項２】
前記ＲＦ部は前記ベースバンド信号を予め定められた周波数に変調するミキサ部と、前記変調された信号を増幅し前記制御部によって電源がＯＮ／ＯＦＦ制御される増幅部と、この増幅部の出力信号を前記制御部からの制御信号に基に可変減衰させて前記ＲＦ信号を前記送信電力増幅部へ送出する可変減衰器と、前記ＲＦ信号を検出するカプラと、このカプラで前記検出した検出ＲＦ信号を検波して前記Ａ／Ｄ部へ送出する検波部とを有することを特徴とする請求項１記載の無線装置の送信機。
【請求項３】
前記ベースバンド部は、前記ベースバンド信号が前記コントロールレベル基準値の前記上限の可変増幅度以上になっている場合に可変減衰器を制御するために使用する予め設定された増幅度のレベルの擬似ベースバンド信号を発生する擬似ベースバンド信号発生部と、前記ベースバンド信号のレベルを検出するベースバンド信号レベル検出部とを有することを特徴とする請求項１記載の無線装置の送信機。
【請求項４】
前記制御部は前記コントロールレベル基準値の前記上限の可変増幅度及び下限の可変増幅度を記憶しているメモリと、初期動作時に前記可変減衰器の予め定められた初期減衰度を記憶している初期値記憶部と、前記ベースバンドレベル検出部からのベースバンド信号の出力レベルが前記コントロールレベル基準値内にあるかどうかを判定する判定部と、前記ベースバンド信号の出力レベルと前記Ａ／Ｄ部からの前記検出ＲＦ信号とを比較する比較部と、初期動作時に前記初期値記憶部からの前記初期減衰度を前記Ｄ／Ａ部を介して前記ＲＦ部内の前記可変減衰器に送出して前記初期減衰度に設定した後に前記比較部の比較結果に基づいて前記予め設定した期間毎に階段的に予め設定した減衰度を下げて予め設定した上限の可変減衰度にするべく前記Ｄ／Ａ部を介して前記制御信号を送出して前記可変減衰器を制御する電力制御部と、前記増幅部及び前記送信電力増幅部への電源のＯＮ／ＯＦＦの制御を行う送信制御部とを有することを特徴とする請求項１，２記載の無線装置の送信機。
【請求項５】
基地局無線装置に使用される送信機であって、前記送信機は多重されたベースバンド情報を受信して周波数変調されたＲＦ信号を送出する送信部と、前記送信部に接続され前記ＲＦ信号を電力増幅する送信電力増幅部と、前記送信電力増幅部に接続され前記電力増幅された前記ＲＦ信号を空中に送出するアンテナとを備え、前記送信部は前記ベースバンド情報を受信してベースバンド信号を送出するベースバンド部と、前記ベースバンド信号を周波数変調した後に可変増幅した前記ＲＦ信号を前記送信電力増幅部へ送出するＲＦ部と、前記ＲＦ部から前記ＲＦ信号を検出した検出ＲＦ信号をＡ／Ｄ変換するＡ／Ｄ部と、Ｄ／Ａ変換された信号によって前記ＲＦ部へ前記可変増幅の制御信号を送出するＤ／Ａ部と、前記ＲＦ部内に前記ベースバンド信号を周波数変調した後に増幅する増幅部と、この増幅した信号を可変減衰して前記ＲＦ信号として前記送信電力増幅部へ送出する可変減衰器を有し、前記制御部は、初期動作時に、前記ベースバンド信号のレベルが予め設定してあるコントロールレベル基準値内にあるか判定し、前記基準値内にあると判定すると、前記可変減衰器に対して初期値として予め設定してある最小減衰レベルに設定した後に前記増幅部及び前記送信電力増幅部の電源をＯＮにし、次に、前記可変減衰器に対して前記初期値を出発値として予め設定した期間毎に階段的に予め設定したステップ減衰レベルを設定し、次に、前記可変減衰器に対して予め設定した最終減衰レベルに設定し、前記ベースバンド部から前記ベースバンドのレベルが前記コントロールレベル基準値内にあることを確認後、前記初期動作の次の予め設定された第２の制御動作を開始することを特徴とする無線装置の送信機の送信レベル制御方法。
【請求項６】
前記制御部は前記第２の制御動作に入ると、先ず、ベースバンド部から前記ベースバンド信号と前記ＲＦ部から前記検出ＲＦ信号を前記Ａ／Ｄ部を介して読取り、次に、前記ベースバンド信号のレベルが前記コントロールレベル基準値内にあるか判定し、次に前記基準値内にあるならば前記検出ＲＦ信号と前記ベースバンド信号のレベルとを比較し、前記検出ＲＦ信号が前記ベースバンド信号より大きい場合には現時点の前記可変減衰器の減衰レベルよりも予め設定した減衰レベル分だけ下げ、小さい場合には現時点の前記可変減衰器の減衰レベルよりも前記予め設定した減衰レベル分だけ上げて、前記検出ＲＦ信号を前記ベースバンド信号のレベルに近づけるべく制御することを特徴とする請求項６記載の無線装置の送信機の送信レベル制御方法。
【請求項７】
前記制御部は前記初期動作時に前記ベースバンド信号のレベルが予め設定してある前記コントロールレベル規準値外にある判定すると、前記可変減衰器との減衰レベルを０ｄＢに設定して、前記増幅部の電源をＯＮにした後に前記初期動作に設定し、前記ベースバンド部から予めレベル設定され擬似ベースバンド信号を読み込み、次に、ＲＦ部から前記検出ＲＦ信号を読み込み、次に、前記擬似ベースバンド信号のレベルを前記検出ＲＦ信号のレベルとを比較し、前記検出ＲＦ信号のレベルが前記擬似ベースバンド信号のレベルより大きいならば、前記可変減衰器の減衰レベルを下げ小さいならば前記減衰レベルを上げ、この前記減衰レベルの下げ又は上げの回数を予め設定した回数を行って前記可変減衰器の減衰レベルを設定した後に、前記増幅部の電源をＯＦＦにした後に前記初期動作時の制御を行うことを特徴とする請求項５記載の無線装置の送信機の送信レベル制御方法。
【発明の詳細な説明】
【０００１】
【発明の属する技術分野】
本発明は無線装置の送信機とその送信レベル制御方法に関し、特に、ＣＤＭＡ（Ｃｏｄｅ　Ｄｉｖｉｓｉｏｎ　Ｍｕｌｔｉｐｌｅ　Ａｃｃｅｓｓ）方式の移動通信システムにおける送信信号を検波器で検波した検波値に基づいて送信電力を精度良く制御する無線装置の送信機とその送信レベル制御方法に関する。
【０００２】
【従来の技術】
この種の従来の技術について図面を参照して説明する。
【０００３】
図８は従来の無線装置の送信機の一例を示すブロック図、図９は図８に示す従来の無線装置の送信機内のフィードバック量生成部の構成を示すブロック図、図１０は図９に示すフィードバック量生成部の動作を示すフローチャートである。
【０００４】
次に、この従来の無線装置の送信機の送信電力の制御について図８〜図１０を参照して説明する。
【０００５】
以下に示すこの従来例の送信機の送信電力の制御は、特開平１１−３０８１２６号の「第２の実施形態」の開示内容を示したものである。
【０００６】
この従来例においては、図８において、検波器１１９への入力信号が十分に大きく、信号検出可能な範囲内である場合は、検波器１１９から出力される検波値Ｄ２として有効な検波信号が得られるため、第１の実施形態と同様に、送信電力誤差Ｅ２に基づくフィードバック量Ｈ２を生成して可変利得回路１１２に帰還するフィードバック制御によって、所定の送信電力が得られるように送信電力を調整することができる。しかしながら、広いダイナミックレンジに対応して送信電力制御を行う場合、検波器１１９への入力信号が小さく、信号検出可能な範囲を下回ることが考えられる。この場合はフィードバック制御による送信電力調整効果が無くなるため、フィードバック量Ｈ２を初期状態に戻す必要がある。これは再度電力検出範囲内となったときにスムーズにフィードバック制御による送信電力調整動作に移行可能とし、周囲温度などの動作条件が変っていても不具合が生じないようにするためである。
【０００７】
また、図９、図１０に示すように、フィードバック量生成部１３０において、電力検出範囲内動作部１３１にループゲイン乗算部１２２からのフィードバック補正値Ｆ２が入力され（ステップＳ１１）、セレクタ１３３には送信電力指定部１６からの送信電力指定情報Ａ２が入力され、送信すべき出力電力値に基づいて電力検出範囲内か否かの判断がなされる（ステップＳ１２）。ここで電力検出範囲内である場合は、電力検出範囲内動作部１３１において入力したフィードバック補正値Ｆ２を加算してデータ保持部１３５に保持し（ステップＳ１３）、セレクタ１３３はこの電力検出範囲内動作部１３１の出力を選択してフィードバック量Ｈ２として出力する（ステップＳ１４）。なお初期状態では、データ保持部１３５はリセット信号によりリセットされる。
【０００８】
一方、ステップＳ１２で電力検出範囲外であると判断された場合は、電力検出範囲外動作部１３２において、データ保持部１３５に保持された値から減算量格納部１３７に格納された減算量を減算し（ステップＳ１５）、セレクタ１３３はこの電力検出範囲外動作部１３２の出力を選択してフィードバック量Ｈ２として出力する（ステップＳ１４）。
【０００９】
このように、この従来例では、フィードバック量生成処理（ステップＳ１１〜Ｓ１５）を繰り返すことにより、電力検出範囲外においてはデータ保持部１３５に保持されたフィードバック量Ｈ２が除々に減算されて初期状態に近づいて行く。このとき、１制御ステップ当りの電力可変量が電力可変量精度の許容範囲内に収まるよう送信電力制御が行われる。
【００１０】
【発明が解決しようとする課題】
この従来例の無線装置の送信機とその送信レベル制御方法は、検波器の電力範囲外においては、データ保持部に保持されたフィードバック量が除々に減算されて初期状態に戻すことにより、検波範囲内外でフィードバック量の違いが発生し、不連続な制御が行われ制度良く送信電力を制御できないという問題点がある。
【００１１】
（発明の目的）
本発明は、初期動作制御において、検波回路のダイナミックレンジ外の送信信号に対して精度良く制御することができる無線装置の送信機とその送信レベル制御方法を提供することを目的とする。
【００１２】
【課題を解決するための手段】
本発明の無線装置の送信機は、基地局無線装置に使用される送信機であって、前記送信機は多重されたベースバンド情報を受信して周波数変調されたＲＦ信号を送出する送信部と、前記送信部に接続され前記ＲＦ信号を電力増幅する送信電力増幅部と、前記送信電力増幅部に接続され前記電力増幅された前記ＲＦ信号を空中に送出するアンテナとを備え、前記送信部は前記ベースバンド情報を受信してベースバンド信号を送出するベースバンド部と、前記ベースバンド信号を周波数変調した後に可変増幅した前記ＲＦ信号を前記送信電力増幅部へ送出するＲＦ部と、前記ＲＦ部から前記ＲＦ信号を検出した検出ＲＦ信号をＡ／Ｄ変換するＡ／Ｄ部と、Ｄ／Ａ変換された信号によって前記ＲＦ部へ前記可変増幅の制御信号を送出するＤ／Ａ部と、初期動作時に前記ベースバンド信号のレベルが予め設定されたコントロールレベル基準値内にあると判定すると、予め設定した下限の減衰度にするべく前記Ｄ／Ａ部を介して前記制御信号を送出した後に予め設定した期間毎に階段的に予め設定した減衰度を下げて予め設定した上限の減衰度にするべく前記Ｄ／Ａ部を介して前記制御信号を前記ＲＦ部へ送出する制御部とを備え、前記ＲＦ部は前記ベースバンド信号を予め定められた周波数に変調するミキサ部と、前記変調された信号を増幅し前記制御部によって電源がＯＮ／ＯＦＦ制御される増幅部と、この増幅部の出力信号を前記制御部からの制御信号に基に可変減衰させて前記ＲＦ信号を前記送信電力増幅部へ送出する可変減衰器と、前記ＲＦ信号を検出するカプラと、このカプラで前記検出した検出ＲＦ信号を検波して前記Ａ／Ｄ部へ送出する検波部とを有し、前記ベースバンド部は、前記ベースバンド信号が前記コントロールレベル基準値の前記上限の可変増幅度以上になっている場合に可変減衰器を制御するために使用する予め設定された増幅度のレベルの擬似ベースバンド信号を発生する擬似ベースバンド信号発生部と、前記ベースバンド信号のレベルを検出するベースバンド信号レベル検出部とを有し、前記制御部は前記コントロールレベル基準値の前記上限の可変増幅度及び下限の可変増幅度を記憶しているメモリと、初期動作時に前記可変減衰器の予め定められた初期減衰度を記憶している初期値記憶部と、前記ベースバンドレベル検出部からのベースバンド信号の出力レベルが前記コントロールレベル基準値内にあるかどうかを判定する判定部と、前記ベースバンド信号の出力レベルと前記Ａ／Ｄ部からの前記検出ＲＦ信号とを比較する比較部と、初期動作時に前記初期値記憶部からの前記初期減衰度を前記Ｄ／Ａ部を介して前記ＲＦ部内の前記可変減衰器に送出して前記初期減衰度に設定した後に前記比較部の比較結果に基づいて前記予め設定した期間毎に階段的に予め設定した減衰度を下げて予め設定した上限の可変減衰度にするべく前記Ｄ／Ａ部を介して前記制御信号を送出して前記可変減衰器を制御する電力制御部と、前記増幅部及び前記送信電力増幅部への電源のＯＮ／ＯＦＦの制御を行う送信制御部とを有している。
【００１３】
本発明の無線装置の送信機の送信レベル制御方法は、基地局無線装置に使用される送信機であって、前記送信機は多重されたベースバンド情報を受信して周波数変調されたＲＦ信号を送出する送信部と、前記送信部に接続され前記ＲＦ信号を電力増幅する送信電力増幅部と、前記送信電力増幅部に接続され前記電力増幅された前記ＲＦ信号を空中に送出するアンテナとを備え、前記送信部は前記ベースバンド情報を受信してベースバンド信号を送出するベースバンド部と、前記ベースバンド信号を周波数変調した後に可変増幅した前記ＲＦ信号を前記送信電力増幅部へ送出するＲＦ部と、前記ＲＦ部から前記ＲＦ信号を検出した検出ＲＦ信号をＡ／Ｄ変換するＡ／Ｄ部と、Ｄ／Ａ変換された信号によって前記ＲＦ部へ前記可変増幅の制御信号を送出するＤ／Ａ部と、前記ＲＦ部内に前記ベースバンド信号を周波数変調した後に増幅する増幅部と、この増幅した信号を可変減衰して前記ＲＦ信号として前記送信電力増幅部へ送出する可変減衰器を有し、前記制御部は、初期動作時に、前記ベースバンド信号のレベルが予め設定してあるコントロールレベル基準値内にあるか判定し、前記基準値内にあると判定すると、前記可変減衰器に対して初期値として予め設定してある最小減衰レベルに設定した後に前記増幅部及び前記送信電力増幅部の電源をＯＮにし、次に、前記可変減衰器に対して前記初期値を出発値として予め設定した期間毎に階段的に予め設定したステップ減衰レベルを設定し、次に、前記可変減衰器に対して予め設定した最終減衰レベルに設定し、前記ベースバンド部から前記ベースバンドのレベルが前記コントロールレベル基準値内にあることを確認後、前記初期動作の次の予め設定された第２の制御動作を開始し、前記制御部は前記第２の制御動作に入ると、先ず、ベースバンド部から前記ベースバンド信号と前記ＲＦ部から前記検出ＲＦ信号を前記Ａ／Ｄ部を介して読取り、次に、前記ベースバンド信号のレベルが前記コントロールレベル基準値内にあるか判定し、次に前記基準値内にあるならば前記検出ＲＦ信号と前記ベースバンド信号のレベルとを比較し、前記検出ＲＦ信号が前記ベースバンド信号より大きい場合には現時点の前記可変減衰器の減衰レベルよりも予め設定した減衰レベル分だけ下げ、小さい場合には現時点の前記可変減衰器の減衰レベルよりも前記予め設定した減衰レベル分だけ上げて、前記検出ＲＦ信号を前記ベースバンド信号のレベルに近づけるべく制御し、また、前記制御部は前記初期動作時に前記ベースバンド信号のレベルが予め設定してある前記コントロールレベル規準値外にある判定すると、前記可変減衰器との減衰レベルを０ｄＢに設定して、前記増幅部の電源をＯＮにした後に前記初期動作に設定し、前記ベースバンド部から予めレベル設定され擬似ベースバンド信号を読み込み、次に、ＲＦ部から前記検出ＲＦ信号を読み込み、次に、擬似ベースバンド信号のレベルを前記検出ＲＦ信号のレベルとを比較し、前記検出ＲＦ信号のレベルが前記擬似ベースバンド信号のレベルより大きいならば、前記可変減衰器の減衰レベルを下げ小さいならば前記減衰レベルを上げ、この前記減衰レベルの下げ又は上げの回数を予め設定した回数を行って前記可変減衰器の減衰レベルを設定した後に、前記増幅部の電源をＯＦＦにした後に前記初期動作時の制御を行う。
【００１４】
【発明の実施の形態】
次に、本発明について図面を参照して説明する。
【００１５】
図１は本発明の一実施の形態の無線装置の送信機を示すブロック図、図２は本実施の形態の送信機内のＢＢ部及び制御部を示すブロック図である。
【００１６】
図１において、本発明の一実施の形態の無線装置の送信機は、ＣＤＭＡ方式を用いた移動体通信システムの基本局無線装置に使用される送信機で周波数変調されたＲＦ信号９を送出する送信部１と、送信部１に接続されＲＦ信号９を電力増幅する送信電力増幅部（ＴＸＡＭＰ）１３と、ＴＸＡＭＰ１３に接続され電力増幅されたＲＦ信号９を空中に送信するアンテナ（ＡＭＴ）１４とを有して構成されている。そして、送信部１は、外部からのベースバンド情報（ＢＢ情報）３を受信してベースバンド信号（ＢＢ信号）４を出力するＢＢ部２と、ＢＢ信号４を予め定められたチャネルのキャリアである周波数に変換した後ＲＦ信号９としてＴＸＡＭＰ１３へ送出するＲＦ部２０と、ＲＦ部２０からのＲＦ信号９を検出してＡ／Ｄ変換したデジタル信号を送出するＡ／Ｄ部１０と、Ａ／Ｄ部１０からのデジタル信号Ｄ／Ａ変換してＲＦ部２０内のＢＢ信号４の増幅を可変させる信号を送出するＤ／Ａ部１２と、Ａ／Ｄ部１０からのデジタル信号の基にＲＦ部２０及びＴＸＡＭＰ１３を制御する制御部１１とを有している。
【００１７】
ＲＦ部２０はベースバンド信号を予め定められた周波数に変調するミキサ５と、変調された信号を増幅し制御部１１によって電源がＯＮ／ＯＦＦ制御される増幅部（ＴＸ）６と、この増幅部（ＴＸ）６の出力信号を制御部１１からの制御信号に基に可変減衰させてＲＦ信号９を送信電力増幅部（ＴＸＡＭＰ）１３へ送出する可変減衰器７と、ＲＦ信号９を検出するカプラ８と、このカプラ８で検出した検出ＲＦ信号を検波してＡ／Ｄ部１０へ送出する検波部１５とを有している。
【００１８】
図２において、本実施の形態における送信部１内のＢＢ部２はＢＢ情報３からＢＢ信号４のレベルを検出するＢＢレベル検出部２ａと、予め定められた３４ｄＢｍの擬似ＢＢ信号を発生する擬似ＢＢ信号発生部２ｂとを有し、制御部１１は、送信機１からのＲＦ信号９の出力に対応するＢＢ信号４のレベル（ＢＢ）の予め設定した最大（４３ｄＢｍ）、最小（２５ｄＢｍ）を記憶しているメモリ１１ｂと、ＢＢレベル検出部２ａからのＢＢ信号４のレベルＢＢが２５（ｄＢｍ）≦ＢＢ≦４３（ｄＢｍ）内にあるかどうかを判定するＡｕｔｏｍａｔｉｃ　Ｌｅｖｅｌ　Ｃｏｎｔｏｒｏｌ（ＡＬＣ）範囲判定部１１ａと、初期のＲＦ信号９に対応するＢＢ信号４のレベルを設定するための初期の可変減衰器７に対する減衰量（Ｇａｇｃ）の設定値（Ｇａｇｃ＝−１８ｄＢ）を記憶している初期ＡＬＣ部１１ｃと、ＲＦ信号９をカプラ８で検出した検出信号を検波部１５で検波した後にＡ／Ｄ部１０でＡ／Ｄ変換された信号（ＲＦ信号相当）と、ＡＬＣ範囲判定部１１ａで判定した判定信号（ＢＢ信号）とを比較する電力比較部１１ｄと、ＡＬＣ範囲判定部１１ａの判定信号（ＢＢ信号）に基づいて増幅部（ＴＸ）６及びＴＸＡＭＰへの電力のＯＮ／ＯＦＦを制御する送信制御部１１ｇと、初期及び送信中又は送信電力制御中の切替えを行うスイッチ１１ｆと、送信中又は送信電力制御中に電力比較部１１ｄのＢＢ信号とＲＦ信号との比較に基づいてスイッチ１１ｆ及びＤ／Ａ部１２を経由して可変減衰器７を可変しＲＦ信号の送信電力を制御する電力制御部１１ｅとを有している。
【００１９】
図３は本実施の形態の送信機内の可変減衰器の時間−出力特性を示す図、図４は本実施の形態における検波部への入力レベルがそのダイナミックレンジ外の時の可変減衰器の時間−出力特性を示す図、図５は本実施の形態における送信部内の制御部の初期制御動作を示すフローチャート、図６は図５において自動利得制御（ＡＬＣ）状態における制御部の制御動作を示すフローチャート、図７は本実施の形態における検波部への入力レベルがそのダイナミックレンジ外の時の制御部の動作を示すフローチャートである。
【００２０】
次に、本実施の形態の送信機の動作について図１〜図７を参照して説明する。
【００２１】
先ず、初期動作について、図５を基に図１〜図３を参照して説明する。
【００２２】
本実施の形態の送信機においては、出力信号のＲＦ信号９が検波部１５のダイナミックレンジを超えないように入力信号のＢＢ信号４に対してＢＢ信号の信号レベルＢＢを予め設定したＡＬＣの制御に入力かどうかの判定となる２５（ｄＢｍ）≦ＢＢ≦４３（ｄＢｍ）になるように監視するシステムとなっている。
【００２３】
そこで、制御部１１内のメモリ１１ｂにＡＬＣの制御に入るかどうかの判定となることを予め設定したＢＢ信号に対する最小値２５ｄＢｍ、最大値４３ｄＢｍで記憶されている。また、初期ＡＬＣ部１１ｃにおいては、可変減衰器７に対する初期減衰値としてＧａｇｃ＝−１８ｄＢが予め記憶されている。
【００２４】
先ず、ステップＡ１：送信部１が初期制御動作を開始すると、
ステップＡ２：ＡＬＣ範囲判定部１１ａはＢＢレベル検出部２ａからＢＢ部２で受信し多重したＢＢ信号４のレベルＢＢがＡＬＣ範囲内か判断する。
【００２５】
次に、ステップＡ３：ＢＢ信号４のレベルＢＢがＡＬＣ範囲ならば、電力制御部１１ｅはスイッチ１１ｆの入力を初期ＡＬＧ部１１ｃ側に切替え、初期設定として可変減衰器７の減衰量をＧａｇｃ＝−１８ｄＢに設定する（図３参照）。
【００２６】
次に、ステップＡ４：送信制御部１１ｇの制御によって増幅部６とＴＸＡＭＰ１３の電源をＯＮにして増幅を開始する。（ＴＸＯＮ、ＴＸＡＭＰＯＮ）
次に、ステップＡ５〜Ａ６：滑らかな立ち上げ（除々上げ）の為に可変減衰器７の減衰量（Ｇａｇｃ）を２００ｍｓ間隔でＧａｇｃを１ｄＢづつ上げる（図３参照）。
【００２７】
次に、ステップＡ７：電力制御部１１ｅの制御の基にＧａｇｃの直線的な上げ方を階段的に−３ｄＢまで行う（図３参照）。
【００２８】
次にステップＡ８：ＡＬＣ範囲判定部１１ａによって再度ＢＢ信号４のレベルＢＢがＡＬＣ範囲内か判断する。
【００２９】
次に、ステップＡ１０：Ａ８でＡＬＣ範囲内だった場合ＡＬＣを開始する。（ＡＬＣＯＮ状態となる）
以上が、送信部１の初期制御の方法である。
【００３０】
次に、除々上げの初期動作終了後のＡＬＣの制御方法について図６を基に説明する。
【００３１】
ステップＢ１：ＡＬＣの制御動作が開始すると、
次にステップＢ２：検波部１５で検出しＡ／Ｄ部１０でＡ／Ｄ変換したＲＦ信号８のレベルを電力比較部１１ｄに入力し、ＢＢレベル検出部２ａからのレベルＢをＡＬＣ範囲判定部１１ａに入力する。
【００３２】
次に、ステップＢ３：ＢＢ信号４のレベルＢＢがＡＬＣ範囲内か判断する。
【００３３】
次に、ステップＢ４：Ｂ３でＡＬＣ範囲内だった場合ＲＦ信号９とＢＢ信号４のレベルＢＢを電力比較部１１ｄで比較する。
【００３４】
次にステップＢ５，Ｂ６：ＲＦ≧ＢＢだった場合Ｇａｇｃを０．０５ｄＢ減少させ、ＲＦ＜ＢＢだった場合０．０５ｄＢ増加させる。
【００３５】
ステップＢ２〜Ｂ６のループ（Ｂ）を回ることによりＡＬＣの制御動作が作動する。
【００３６】
上記ステップＡ１〜Ａ１０及びステップＢ１〜Ｂ６の動作を横軸・時間、縦軸・レベルにとった特性を図３に示す。ＡＬＣとは周波数偏差、温度偏差等を補正し自動的に送信部１の利得を一定に保つことを目的にしており、入力されるＢＢレベルによって可変減衰器７の減衰量は左右されることはなく、Ｇａｇｃ＝０ｄＢを保つように設計されているがこれを保証していない。その為、仮にステップＡ７において０ｄＢまで利得を上げると増幅器６のばらつきの影響で送信部１が過出力になり、後段のＴＸＡＭＰ１３に過負荷をかけ、さらにエアー上にもＡＮＴ１４を通して干渉を増やしてしまうこととなる。この為Ｇａｇｃ＝０ｄＢより低いレベルまで機械的に立ち上げその後ＡＬＣにより正確な利得補正することにより過出力を防止することにこのＡＬＣの制御は意味を持つ制御である。
【００３７】
次に、初期制御開始時にＢＢ信号４のレベルＢＢがＡＬＣ範囲外であった場合の制御について図４、図７を基に説明する。
【００３８】
先ず、図５のステップＡにおいて、ＡＬＣ範囲判定部１１ａがＢＢレベル検出部２ａからのＢＢ信号４のレベルＢＢがＡＬＣ範囲内か判断し、範囲外の場合図７のフローチャートＣ１へ行く。
【００３９】
次に、ステップＣ２：電力制御部１１ｅはＡＬＣ範囲判定部１１ａの判定結果を受信して、スイッチ１１ｆを経由して可変減衰器７に対してＧａｇｃ＝０ｄＢとするべく制御する。
【００４０】
次に、ステップＣ３：増幅部６のみ電源をＯＮして増幅を開始する。（ＴＸＯＮ）
次に、ステップＣ４：ＡＬＣ動作を開始する。（ＡＬＣＯＮ）
次に、ステップＣ５：ＡＬＣ範囲判定部１１ａの判定結果ＢＢ部２の擬似ＢＢ信号発生部２ｂから擬似ＢＢ信号４を予め設定した３４ｄＢｍＲＦ信号レベル換算で出力する。
【００４１】
次にステップＣ６：擬似ＢＢ信号４のレベルと検波部１５で検出しＡ／Ｄ部１０でＡ／Ｄ変換したＲＦ信号８のレベル電力比較部１１ｄに入力する。
【００４２】
次にステップＣ７：ＲＦ信号８と擬似ＢＢ信号４のレベルを電力比較部１１ｄで比較する。
【００４３】
次に、ステップＣ８，Ｃ９：ＲＦ≧擬似ＢＢだった場合Ｇａｇｃを０．０５ｄＢ減少させ、ＲＦ＜擬似ＢＢだった場合０．０５ｄＢ増加させる。
【００４４】
次に、ステップＣ１０、Ｃ１１：Ｃ６〜Ｃ９までのＡＬＣ動作を繰り返しＧａｇｃが収束するまで（この場合２０回）繰り返す。２０回ｘ０．０５ｄＢ＝１ｄＢなので±１ｄＢ以内であればＧａｇｃを補正できる。（ｅｘ．周波数、温度偏差の為Ｇａｇｃ＝−１ｄＢに安定したとする）。（回数の制御は電力制御部１１ｅで行う）
次に、ステップＣ１２：Ｘ＝Ｇａｇｃ（ｄＢ）＝±０．０５×ｘ，（ｘ＝２０）とする。（ｅｘ．Ｘ＝−１ｄＢになったとする）
Ｃ１３：送信制御部１１ｇからの制御によって、増幅部６の電源をＯＦＦして増幅を停止する。（ＴＸＯＦＦ）
以後、図５のフローチャートＡ３へ戻る。
【００４５】
即ち、ステップＡ４〜Ａ７：上記説明した場合と同様に図４に示すＧａｇｃ＝−３ｄＢまで除々上げ実施する。
【００４６】
次に、ステップＡ８：ＢＢ信号４のレベルＢＢがＡＬＣ範囲内か判断する。
【００４７】
次に、ステップＡ９、Ａ１０：ＡＬＣ範囲外の場合Ｇａｇｃ＝ＸｄＢとする。（ｅｘ．Ｇａｇｃ＝−１ｄＢまで制御する）
以後図６のＡＬＣのフローチャートの制御動作に移る。
【００４８】
即ち、ステップＢ２：ＢＢ信号４のレベルＢＢと検波部１５で検出しＡ／Ｄ部１０でＡ／Ｄ変換したＲＦ信号９のレベルを電力比較部１１ｄに入力する。（ＢＢ：２４ｄＢｍ、ＲＦ：２４ｄＢｍ）
次に、ステップＢ３：ＢＢ信号４のレベルＢＢがＡＬＣ範囲内か判断する。
【００４９】
範囲外なのでループ（Ａ）を回ることによりＡＬＣが停止した状態となる。
【００５０】
上記の例のように増幅器６の周波数偏差、温度偏差の影響で可変減衰器７の減衰量Ｇａｇｃ＝−１ｄＢの場合がＢＢ信号４とＲＦ信号１５の利得が一定となり横軸・時間、縦軸・レベルにとった特性を図４のようになる。以上の様に本実施の形態ではＡＬＣの範囲外（ＡＬＣ停止状態）でもＢＢ信号４とＲＦ信号９の利得を一定に保つことが出来る。
【００５１】
【発明の効果】
以上説明したように本発明は、基地局無線装置に使用される送信機であって、送信機は多重されたベースバンド情報を受信して周波数変調されたＲＦ信号を送出する送信部と、送信部に接続されＲＦ信号を電力増幅する送信電力増幅部と送信電力増幅部に接続され電力増幅されたＲＦ信号を空中に送出するアンテナとを備え、送信部はベースバンド情報を受信してベースバンド信号を送出するベースバンド部と、ベースバンド信号を周波数変調した後に可変増幅したＲＦ信号を送信電力増幅部へ送出するＲＦ部と、ＲＦ部からＲＦ信号を検出した検出ＲＦ信号をＡ／Ｄ変換するＡ／Ｄ部と、Ｄ／Ａ変換された信号によってＲＦ部へ可変増幅の制御信号を送出するＤ／Ａ部と、初期動作時にベースバンド信号のレベルが予め設定されたコントロールレベル規準値内にあると判定すると、予め設定した下限の減衰度にするべくＤ／Ａ部を介して制御信号を送出した後に予め設定した期間毎に階段的に予め設定した減衰度を下げて予め設定した上限の減衰度にするべく前記Ｄ／Ａ部を介して制御信号をＲＦ部へ送出する制御部とを備えることにより以下に示す効果を有する。
【００５２】
即ち、初期動作時にベースバンド信号が予め設定されたコントロールレベル規準値外が入力した場合に、擬似ベースバンド信号を発生して、検出したＲＦ信号をコントロールレベル規準値内になるようにＲＦ部内の可変減衰器の減衰度を設定してからベースバンド信号の増幅を制御しているので、ＲＦ信号を精度良く送信することができる効果がある。
【図面の簡単な説明】
【図１】本発明の一実施の形態の無線装置の送信機を示すブロック図である。
【図２】本実施の形態の送信部内のＢＢ部及び制御部を示すブロック図である。
【図３】本実施の形態の送信機内の可変減衰器の時間−出力特性を示す図である。
【図４】本実施の形態における検波部への入力レベルがそのダイナミックレンジ外の時の可変減衰器の時間−出力特性を示す図である。
【図５】本実施の形態における送信部内の制御部の初期制御動作を示すフローチャートである。
【図６】図５において自動利得制御（ＡＬＣ）状態における制御部の制御動作を示すフローチャートである。
【図７】本実施の形態における検波部への入力レベルがそのダイナミックレンジ外の時の制御部の動作を示すフローチャートである。
【図８】従来の無線装置の送信機の一例を示すブロック図である。
【図９】図８に示す従来の無線装置の送信機内のフィードバック量生成部の構成を示すブロック図である。
【図１０】図９に示すフィードバック量生成部の動作を示すフローチャートである。
【符号の説明】
１　　送信部
２　　ＢＢ部
２ａ　　ＢＢレベル検出部
２ｂ　　擬似ＢＢ信号発生部
３　　ベースバンド情報（ＢＢ情報）
４　　ベースバンド信号（ＢＢ信号）
５　　ミキサ
６　　増幅部（ＴＸ）
７　　可変減衰器
８　　カプラ
９　　ＲＦ信号
１０　　Ａ／Ｄ部
１１　　制御部
１１ａ　　ＡＬＣ範囲判定部
１１ｂ　　メモリ
１１ｃ　　初期ＡＬＣ部
１１ｄ　　電力比較部
１１ｅ　　電力制御部
１１ｆ　　スイッチ
１１ｇ　　送信制御部
１２　　Ｄ／Ａ部
１３　　送信電力増幅部（ＴＸＡＭＰ）
１４　　アンテナ（ＡＮＴ）
１５　　検波部
２０　　ＲＦ部
【図１】
2004032447.tif 000003
【図２】
2004032447.tif 000004
【図３】
2004032447.tif 000005
【図４】
2004032447.tif 000006
【図５】
2004032447.tif 000007
【図６】
2004032447.tif 000008
【図７】
2004032447.tif 000009
【図８】
2004032447.tif 000010
【図９】
2004032447.tif 000011
【図１０】
2004032447.tif 000012